(57)【要約】【課題】ユーザにユーザ環境の状態を容易に把握させる。【解決手段】ユーザ環境制御部１２は、ユーザ指示入力部１１を介し、ユーザにユーザ環境を特定する特定情報を階層的に登録させ、ユーザ環境登録部１３は、ユーザに階層的に登録させたユーザ環境についての特定情報をユーザ環境保存部１４に保存させる。ユーザ環境関連情報抽出部１５は、ユーザ環境についての特定情報に関連する関連情報を抽出する。ユーザ環境制御部１２は、ユーザ環境関連情報抽出部１５により抽出された情報に基づいて、ユーザ環境保存部１４に保存されているユーザ環境についての特定情報に状態変化があるかを監視し、状態変化があった場合にはその旨を表示部１６に表示させる。【選択図】      図１
2004341705.tif 000002
【特許請求の範囲】
【請求項１】
ユーザ環境を１つ以上設定可能な情報端末機器において、
各種の情報を表示する表示手段と、
前記ユーザ環境の設定の際に登録させた当該ユーザ環境を特定する特定情報の状態を監視し、当該特定情報に状態変化があった場合に、その旨を前記表示手段に表示させる制御手段とを有することを特徴とする情報端末機器。
【請求項２】
前記制御手段は、前記ユーザ環境についての前記特定情報を階層的に登録させる、請求項１に記載の情報端末機器。
【請求項３】
前記制御手段は、現在利用中のユーザ環境についての特定情報の状態変化だけでなく、現在利用していない他のユーザ環境についての特定情報に状態変化があった場合にも、その旨を前記表示手段に表示させる、請求項２に記載の情報端末機器。
【請求項４】
前記ユーザ環境の切り替え処理、前記特定情報として登録されたソフトウェアの起動または動作処理を実行する動作手段を有し、
前記制御手段は、前記ユーザの指示に基づき、前記ユーザ環境の切り替え処理、前記特定情報として登録されたソフトウェアの起動または動作処理を前記動作手段に実行させる、請求項２または３に記載の情報端末機器。
【請求項５】
前記制御手段は、前記表示手段に表示される画面において、前記ユーザ環境を識別するマークを前記表示手段に表示させることとし、当該マークがクリックされた場合に、クリックされたユーザ環境への切り替え処理を前記動作手段に実行させる、請求項４に記載の情報端末機器。
【請求項６】
前記制御手段は、前記情報端末機器を利用する１人以上のユーザ毎にユーザ環境を設定した場合、前記ユーザ環境の切り替え処理を前記動作手段に実行させる際に、現在利用中のユーザをログオンしたまま切り替え処理を実行させる、請求項５に記載の情報端末機器。
【請求項７】
前記制御手段は、前記情報端末機器を利用する１人以上のユーザ毎にユーザ環境を設定した場合、前記ユーザ環境の切り替え処理を前記動作手段に実行させる際に、現在利用中のユーザをログオフさせて切り替え処理を実行させる、請求項５に記載の情報端末機器。
【請求項８】
前記制御手段は、前記情報端末機器を利用する１人以上のユーザ毎にユーザ環境を設定した場合、前記ユーザ環境の切り替え処理を前記動作手段に実行させる際に、現在利用中のユーザをログオフさせる、請求項５に記載の情報端末機器。
【請求項９】
前記制御手段は、前記表示手段に表示される画面において、前記ユーザ環境を特定する特定情報として登録されたソフトウェアを示すマークを前記表示手段に表示させることとし、当該マークがクリックされた場合に、クリックされたソフトウェアの起動または動作処理を前記動作手段に実行させる、請求項４から８のいずれか１項に記載の情報端末機器。
【請求項１０】
前記制御手段は、前記ユーザ環境についての特定情報に状態変化があった場合、自動的に、当該特定情報として登録されたソフトウェアの起動または動作処理を前記動作手段に実行させる、請求項４から９のいずれか１項に記載の情報端末機器。
【請求項１１】
前記制御手段は、前記表示手段に表示される画面において、前記ユーザ環境を識別するマーク、および当該ユーザ環境についての特定情報に状態変化があった場合にはその旨を示すマークを前記表示手段に表示させる、請求項１から１０のいずれか１項に記載の情報端末機器。
【請求項１２】
ユーザ環境を１つ以上設定可能な情報端末機器によるユーザ環境表示方法において、
前記ユーザ環境の設定の際に登録させた当該ユーザ環境を特定する特定情報の状態を監視し、
前記特定情報に状態変化があった場合に、その旨を前記情報端末機器の表示手段に表示させることを特徴とするユーザ環境表示方法。
【請求項１３】
前記ユーザ環境についての前記特定情報を階層的に登録させる、請求項１２に記載のユーザ環境表示方法。
【請求項１４】
現在利用中のユーザ環境についての特定情報の状態変化だけでなく、現在利用していない他のユーザ環境についての特定情報に状態変化があった場合にも、その旨を前記表示手段に表示させる、請求項１３に記載のユーザ環境表示方法。
【請求項１５】
前記ユーザの指示に基づき、前記ユーザ環境の切り替え処理、前記特定情報として登録されたソフトウェアの起動または動作処理を実行する、請求項１３または１４に記載のユーザ環境表示方法。
【請求項１６】
前記表示手段に表示される画面において、前記ユーザ環境を識別するマークを前記表示手段に表示させることとし、当該マークがクリックされた場合に、クリックされたユーザ環境への切り替え処理を実行する、請求項１５に記載のユーザ環境表示方法。
【請求項１７】
前記情報端末機器を利用する１人以上のユーザ毎にユーザ環境を設定した場合、前記ユーザ環境の切り替え処理を実行する際に、現在利用中のユーザをログオンしたまま切り替え処理を実行する、請求項１６に記載のユーザ環境表示方法。
【請求項１８】
前記情報端末機器を利用する１人以上のユーザ毎にユーザ環境を設定した場合、前記ユーザ環境の切り替え処理を実行する際に、現在利用中のユーザをログオフさせて切り替え処理を実行する、請求項１６に記載のユーザ環境表示方法。
【請求項１９】
前記情報端末機器を利用する１人以上のユーザ毎にユーザ環境を設定した場合、前記ユーザ環境の切り替え処理を実行する際に、現在利用中のユーザをログオフさせる、請求項１６に記載のユーザ環境表示方法。
【請求項２０】
前記表示手段に表示される画面において、前記ユーザ環境を特定する特定情報として登録されたソフトウェアを示すマークを前記表示手段に表示させることとし、当該マークがクリックされた場合に、クリックされたソフトウェアの起動または動作処理を実行する、請求項１５から１９のいずれか１項に記載のユーザ環境表示方法。
【請求項２１】
前記ユーザ環境についての特定情報に状態変化があった場合、自動的に、当該特定情報として登録されたソフトウェアの起動または動作処理を実行する、請求項１５から２０のいずれか１項に記載のユーザ環境表示方法。
【請求項２２】
前記表示手段に表示される画面において、前記ユーザ環境を識別するマーク、および当該ユーザ環境についての特定情報に状態変化があった場合にはその旨を示すマークを前記表示手段に表示させる、請求項１２から２１のいずれか１項に記載のユーザ環境表示方法。
【請求項２３】
ユーザ環境を１つ以上設定可能な情報端末機器に実行させるプログラムにおいて、
前記ユーザ環境の設定の際に登録させた当該ユーザ環境を特定する特定情報の状態を監視する命令セットと、
前記特定情報に状態変化があった場合に、その旨を前記情報端末機器の表示手段に表示させる命令セットとを有することを特徴とするプログラム。
【発明の詳細な説明】
【０００１】
【発明の属する技術分野】
本発明は、ＰＣ等の情報端末機器、情報端末機器によるユーザ環境表示方法に関する。
【０００２】
【従来の技術】
昨今の高度情報化社会において、ＰＣ等の情報端末機器の普及率は上昇傾向にある。
【０００３】
しかしながら、情報端末機器の実際の普及先は、情報端末機器に精通しているユーザ層に偏っている傾向にあり、情報端末機器に精通していないユーザの間にはさほど普及していないのが現状である。
【０００４】
そこで、最近では、ある企業において、情報端末機器の普及率が低い層をターゲットとした情報端末機器を開発し、販売を行っている。その具体的な例として、ファミリー向けＰＣが注目を集めている。
【０００５】
このファミリー向けＰＣにおいては、１台のＰＣを複数のユーザで利用させるために、各ユーザについてユーザ環境を設定するとともに、各ユーザにファミリーボタンなるボタンを割り当て、いずれかのボタンが押下された場合に、そのボタンに対応したユーザのユーザ環境への切り替えを行っていた。
【０００６】
しかしながら、このファミリー向けＰＣにおいては、ユーザ環境を切り替えたとしても、その後に行う電子メールソフト等のアプリケーションソフト（以下、ＡＰソフトと称する）の起動に手間が掛かってしまうという問題点がある。さらに、ＡＰソフトの数が多くなると、所望のＡＰソフトを見つけ出すのに大変な手間がかかってしまうという問題点がある。
【０００７】
このような状況において、ＰＣにはランチャーと称される機能が搭載されており、このランチャー機能を用いることにより所望のＡＰソフトを素早く見つけ出すことが可能となっている（例えば、非特許文献１参照）。
【０００８】
【非特許文献１】
［平成１５年４月２１日検索］、インターネット＜ＵＲＬ：ｈｔｔｐ：／／ｃｏｍｐｕｔｅｒｓ．ｙａｈｏｏ．ｃｏ．ｊｐ／ｄｉｃｔ／ｓｏｆｔｗａｒｅ／ｋｉｎｄ／３４４６．ｈｔｍｌ＞
【０００９】
【発明が解決しようとする課題】
しかしながら、上述したランチャー機能は、ユーザがユーザ環境として登録したＡＰソフトがある基準で整理されているだけであるため、ユーザがユーザ環境の状態を把握することができないという問題点があった。
【００１０】
このように、ユーザがユーザ環境の状態を把握できない場合、無駄な操作を行ったり、目的とは異なる手順で操作を行ったりすることにより、更なる問題を引き起こしてしまう可能性がある。
【００１１】
例えば、ユーザは、電子メールの着信があるかどうか分からない場合、電子メールソフトを起動して電子メールの着信の有無を確認しなければならないが、着信がない場合には、無駄に電子メールソフトを起動してしまうことになる。また、ユーザが初心者であれば、そのユーザは、電子メールソフトの起動の際に、間違って、他のＡＰソフトを起動してしまう可能性がある。
【００１２】
また、上述したランチャー機能では、１台のＰＣを複数のユーザで利用する場合、現在利用中のユーザが他のユーザのユーザ環境を把握することができないという問題点もあった。
【００１３】
例えば、現在利用中のユーザが、他のユーザが利用している状態（例えば、文書作成ソフトで文書ファイルの作成途中）で、直接的にＰＣの電源をオフする状況になった場合、他のユーザのユーザ環境を把握できなければ、他のユーザの作業中の文書ファイルのセーブの有無に関わらず、強制的に終了してしまうことになり、他のユーザの作業を無駄にしてしまう可能性がある。
【００１４】
そこで、本発明の目的は、ユーザにユーザ環境の状態を容易に把握させることができる情報端末機器、情報端末機器によるユーザ環境表示方法を提供することにある。
【００１５】
【課題を解決するための手段】
上記目的を達成するために本発明の情報端末機器は、ユーザ環境を１つ以上設定可能な情報端末機器において、各種の情報を表示する表示手段と、前記ユーザ環境の設定の際に登録させた当該ユーザ環境を特定する特定情報の状態を監視し、当該特定情報に状態変化があった場合に、その旨を前記表示手段に表示させる制御手段とを有することを特徴とする。
【００１６】
また、前記制御手段は、前記ユーザ環境についての前記特定情報を階層的に登録させることとしても良い。
【００１７】
また、前記制御手段は、現在利用中のユーザ環境についての特定情報の状態変化だけでなく、現在利用していない他のユーザ環境についての特定情報に状態変化があった場合にも、その旨を前記表示手段に表示させることとしても良い。
【００１８】
また、前記ユーザ環境の切り替え処理、前記特定情報として登録されたソフトウェアの起動または動作処理を実行する動作手段を有し、前記制御手段は、前記ユーザの指示に基づき、前記ユーザ環境の切り替え処理、前記特定情報として登録されたソフトウェアの起動または動作処理を前記動作手段に実行させることとしても良い。
【００１９】
また、前記制御手段は、前記表示手段に表示される画面において、前記ユーザ環境を識別するマークを前記表示手段に表示させることとし、当該マークがクリックされた場合に、クリックされたユーザ環境への切り替え処理を前記動作手段に実行させることとしても良い。
【００２０】
また、前記制御手段は、前記情報端末機器を利用する１人以上のユーザ毎にユーザ環境を設定した場合、前記ユーザ環境の切り替え処理を前記動作手段に実行させる際に、現在利用中のユーザをログオンしたまま切り替え処理を実行させるか、現在利用中のユーザをログオフさせて切り替え処理を実行させるか、現在利用中のユーザをログオフさせることとしても良い。
【００２１】
また、前記制御手段は、前記表示手段に表示される画面において、前記ユーザ環境を特定する特定情報として登録されたソフトウェアを示すマークを前記表示手段に表示させることとし、当該マークがクリックされた場合に、クリックされたソフトウェアの起動または動作処理を前記動作手段に実行させることとしても良い。
【００２２】
また、前記制御手段は、前記ユーザ環境についての特定情報に状態変化があった場合、自動的に、当該特定情報として登録されたソフトウェアの起動または動作処理を前記動作手段に実行させることとしても良い。
【００２３】
また、前記制御手段は、前記表示手段に表示される画面において、前記ユーザ環境を識別するマーク、および当該ユーザ環境についての特定情報に状態変化があった場合にはその旨を示すマークを前記表示手段に表示させることとしても良い。
【００２４】
上記目的を達成するために本発明の情報端末機器によるユーザ環境表示方法は、ユーザ環境を１つ以上設定可能な情報端末機器によるユーザ環境表示方法において、前記ユーザ環境の設定の際に登録させた当該ユーザ環境を特定する特定情報の状態を監視し、前記特定情報に状態変化があった場合に、その旨を前記情報端末機器の表示手段に表示させることを特徴とする。
【００２５】
上記目的を達成するために本発明のプログラムは、ユーザ環境を１つ以上設定可能な情報端末機器に実行させるプログラムにおいて、前記ユーザ環境の設定の際に登録させた当該ユーザ環境を特定する特定情報の状態を監視する命令セットと、前記特定情報に状態変化があった場合に、その旨を前記情報端末機器の表示手段に表示させる命令セットとを有することを特徴とする。
【００２６】
（作用）
上記のように構成された本発明においては、各種の情報を表示する表示手段と、ユーザ環境の設定の際に登録させた当該ユーザ環境を特定する特定情報の状態を監視し、当該特定情報に状態変化があった場合に、その旨を表示手段に表示させる制御手段とを設けているため、ユーザは、ユーザ環境に状態変化があったことを即座に把握することが可能となる。
【００２７】
【発明の実施の形態】
以下に、本発明の実施の形態について図面を参照して説明する。
【００２８】
図１は、本発明の一実施形態の情報端末機器を示す図である。
【００２９】
図１を参照すると、本実施形態の情報端末機器は、ユーザ指示入力部１１と、ユーザ環境制御部１２と、ユーザ環境登録部１３と、ユーザ環境保存部１４と、ユーザ環境関連情報抽出部１５と、表示部１６と、ユーザ環境動作部１７とを有している。
【００３０】
ユーザ指示入力部１１は、ユーザが表示部１６の画面上でアイコンを移動させ、その移動先でアイコンをクリックしたり、表示部１６の画面上の所定位置にて文字や記号を入力したりすることで、各種の指示を入力するためのキーボード、マウス等である。
【００３１】
ユーザ環境制御部１２は、ユーザ環境の設定の際に、ユーザにユーザ指示入力部１１を介し、当該ユーザ環境を特定する特定情報を階層的に登録させる。
【００３２】
ユーザ環境登録部１３は、ユーザに階層的に登録させたユーザ環境についての特定情報をユーザ環境保存部１４に登録し、保存させる。
【００３３】
ユーザ環境保存部１４は、ユーザ環境登録部１３により登録されたユーザ環境についての特定情報を保存する。
【００３４】
ユーザ環境関連情報抽出部１５は、ユーザ環境保存部１４に保存されているユーザ環境についての特定情報に関連する関連情報を抽出し、抽出した関連情報をユーザ環境制御部１２に通知する。なお、ユーザ環境関連情報抽出部１５は、上記の関連情報を、本情報端末機器内の不図示の構成要素から抽出することとし、例えば、電子メールを送受信する構成要素から電子メールの着信情報を抽出する。また、ユーザ環境関連情報抽出部１５は、上記の関連情報を、不図示のネットワークを介して本情報端末機器と接続されている不図示の他の情報端末機器、サーバ等から抽出することも可能であるものとする。
【００３５】
ユーザ環境制御部１２は、ユーザ環境保存部１４に特定情報が保存されているユーザ環境の登録内容を表示部１６に表示させる。また、ユーザ環境関連情報抽出部１５により抽出された情報に基づいて、ユーザ環境保存部１４に保存されているユーザ環境についての特定情報に状態変化があるかを監視し、状態変化があった場合にはその旨を表示部１６に表示させる。
【００３６】
さらに、ユーザ環境制御部１２は、ユーザがユーザ指示入力部１１に入力した指示に基づいて、ユーザ環境の切り替え処理や、ユーザ環境についての特定情報として登録された電子メールソフト等のＡＰソフトの起動または動作処理をユーザ環境動作部１７に実行させる。
【００３７】
表示部１６は、各種情報を表示するディスプレイ等であり、ユーザ環境制御部１２の指示に基づき、ユーザ環境の登録内容を表示したり、当該ユーザ環境についての特定情報に状態変化があった場合にはその旨を表示したりする。
【００３８】
ユーザ環境動作部１７は、ユーザ環境制御部１２の指示に基づき、ユーザ環境の切り替え処理や、ユーザ環境についての特定情報として登録されたＡＰソフトの起動または動作処理を実行する。
【００３９】
以下、図１に示した情報端末機器によるユーザ環境表示方法について、図２のフローチャートを参照して説明する。
【００４０】
図２を参照すると、まず、ユーザ環境制御部１２が、ユーザ環境の設定の際に、ユーザにユーザ指示入力部１１を介し、当該ユーザ環境を特定する特定情報を階層的に登録させ、ユーザ環境登録部１３が、ユーザに階層的に登録させたユーザ環境についての特定情報をユーザ環境保存部１４に登録し、保存させる（ステップ２０１）。
【００４１】
例えば、ユーザ環境制御部１２は、１人以上のユーザが本情報端末機器を利用する場合においては、本情報端末機器を利用するユーザ毎にユーザ環境を設定することとし、各ユーザのユーザ環境を特定する特定情報として、まず、本情報端末機器を利用する各ユーザを識別する情報（ユーザ名等）を登録させ、続いて、各ユーザが本情報端末機器上で利用するＡＰソフトの情報、そのＡＰソフトの詳細な設定情報等を順次登録させる。
【００４２】
次に、ユーザ環境制御部１２は、ユーザ環境保存部１４に特定情報が保存されているユーザ環境の登録内容を表示部１６に表示させる（ステップ２０２）。
【００４３】
例えば、ユーザ環境制御部１２は、１人以上のユーザが本情報端末機器を利用する場合においては、図３に示すように、本情報端末機器を利用するユーザ（図３ではユーザａ〜ｅ）の各々のユーザ環境を識別するユーザマークを表示部１６に表示させる。また、図３の状態で左側の「▲（または▼）」と表示されているタブがクリックされると、図４に示すように、別のユーザ群（図４ではユーザｆ〜ｊ）の各々のユーザ環境を識別するユーザマークを表示部１６に表示させることとしても良い。さらに、図３または図４の状態で下部の「ソフト」と表示されているタブがクリックされると、図５に示すように、現在利用中のユーザが特定情報として登録した電子メールソフト等のＡＰソフトを示すマークを表示部１６に表示させる。
【００４４】
次に、ユーザ環境関連情報抽出部１５は、ユーザ環境保存部１４に保存されているユーザ環境についての特定情報に関連する関連情報を抽出し、抽出した関連情報をユーザ環境制御部１２に通知する（ステップ２０３）。
【００４５】
ユーザ環境制御部１２は、ユーザ環境関連情報抽出部１５から通知された関連情報に基づいて、ユーザ環境保存部１４に保存されているユーザ環境についての特定情報に状態変化があったことを検知した場合（ステップ２０４）、その旨を表示部１６に表示させる（ステップ２０５）。
【００４６】
例えば、１人以上のユーザが本情報端末機器を利用する場合において、ユーザ環境についての特定情報として電子メールソフトを登録しているユーザ宛に電子メールの着信があったと仮定する。この場合、ユーザ環境制御部１２は、図３に示すように、該当するユーザ（図３ではユーザａおよびユーザｃ）宛に電子メールの着信があった旨を示すメールマークを表示部１６に表示させる。このように、本実施形態においては、現在利用中のユーザａだけでなく、利用していないユーザｃのユーザ環境についての特定情報に状態変化があった場合にも、その旨を示すマークを表示部１６に表示させる。
【００４７】
その後、ユーザ環境制御部１２は、ユーザがユーザ指示入力部１１に入力した指示に基づいて、ユーザ環境の切り替え処理や、ユーザ環境についての特定情報として登録されたＡＰソフトの起動または動作処理をユーザ環境動作部１７に実行させる（ステップ２０６）。
【００４８】
例えば、ユーザ環境制御部１２は、１人以上のユーザが本情報端末機器を利用する場合において、図３または図４の状態でいずれかのユーザマークがクリックされると、これに対応するユーザ環境への切り替え処理をユーザ環境動作部１７に実行させる。また、図５の状態でいずれかのＡＰソフトのマークがクリックされると、そのＡＰソフトの起動または動作処理をユーザ環境動作部１７に実行させる。
【００４９】
なお、ユーザは、図３〜図５に示すような画面またはその他の画面上で、ユーザ環境動作部１７における上記処理の詳細な条件をユーザ指示入力部１１を介して入力することが可能であり、ユーザ環境制御部１２は、ユーザが入力した指示によっては、次のような処理をユーザ環境動作部１７に実行させる。
【００５０】
例えば、ユーザ環境制御部１２は、ユーザ切り替え処理をユーザ環境動作部１７に実行させる際に、▲１▼現在利用中のユーザをログオンしたまま切り替える、▲２▼現在利用中のユーザをログオフさせて切り替える、▲３▼現在利用中のユーザをログオフさせる、といういずれかの条件で、ユーザ切り替え処理を実行させる。
【００５１】
また、ユーザ環境制御部１２は、特定情報として登録されたＡＰソフトの状態変化を検知した場合、自動的に、そのＡＰソフトの起動処理をユーザ環境動作部１７に実行させる。
【００５２】
以下に、図１に示した情報端末機器によるユーザ環境表示方法について、図６を参照してさらに具体的に説明する。なお、図６においては、複数のユーザ（図６ではユーザａ，ｂ・・・）が本情報端末機器を利用するものとする。
【００５３】
図６を参照すると、ユーザ環境保存部１４には、ユーザ（図６ではユーザａ，ｂ・・・）毎にユーザ環境が設定されており、各ユーザのユーザ環境を特定する特定情報が保存されている（ステップ６０１）。ここでは、各ユーザのユーザ環境についての特定情報として電子メールソフトが保存されているものとする。
【００５４】
次に、ユーザ環境制御部１２は、ユーザ環境保存部１４に特定情報が保存されている各ユーザのユーザ環境の登録内容を表示部１６に表示させる（ステップ６０２，６０３）。このときの表示例としては、図３〜図５に示したように、ユーザマークの表示画面（図３および図４参照）とＡＰソフトのマークの表示画面（図５参照）とを切り替えて表示する例が考えられる。
【００５５】
次に、ユーザ環境関連情報抽出部１５は、ユーザ環境保存部１４に保存されている各ユーザのユーザ環境についての特定情報に関連する関連情報として、各ユーザ宛に電子メールの着信があるかを示す着信情報を抽出する（ステップ６０４）。
【００５６】
ユーザ環境関連情報抽出部１５は、上記で抽出した着信情報に基づいて、いずれかのユーザ宛に電子メールの着信があるか判断し（ステップ６０５）、着信がある場合にはどのユーザ宛の着信であるかがわかるようにユーザ毎に着信状態を分類してユーザ環境制御部１２に通知する（ステップ６０６）。なお、着信がない場合にはその旨をユーザ環境制御部１２に通知する。
【００５７】
その後、ユーザ環境制御部１２は、ユーザ環境関連情報抽出部１５から通知された情報に基づいて、いずれかのユーザ宛に電子メールの着信があることを検知した場合は、そのユーザ宛に電子メールの着信があった旨を示すメールマークを表示部１６に表示させる（ステップ６０７，６０８）。このときの表示例としては、図３に示したように、該当するユーザを示すユーザマークの表示部分にメールマークを表示する例が考えられる。
【００５８】
上述したように本実施形態においては、ユーザ環境制御部１２において、ユーザ環境を特定する特定情報の状態を監視し、当該特定情報に状態変化があった場合には、その旨を表示部１６に表示させている。
【００５９】
そのため、ユーザは、ユーザ環境に状態変化があったことを即座に把握することができ、ユーザ環境の状態に従って、ユーザ環境を切り替えたり、特定情報として登録したＡＰソフトを起動または動作させたりすることができる。
【００６０】
また、本実施形態においては、ユーザ環境制御部１２において、ユーザ環境についての特定情報を階層的に登録させている。
【００６１】
そのため、例えば、１人以上のユーザが情報端末機器を利用する場合、各ユーザのユーザ環境を特定する特定情報として、本情報端末機器を利用する各ユーザを識別する情報（ユーザ名等）、各ユーザが本情報端末機器上で利用するＡＰソフトの情報等を階層的に登録させることができる。
【００６２】
また、本実施形態においては、ユーザ環境制御部１２において、現在利用中のユーザ環境だけでなく、現在利用していない他のユーザ環境についての特定情報に状態変化があった場合にも、その旨を表示部１６に表示させている。
【００６３】
そのため、ユーザは、現在利用していない他のユーザ環境に状態変化があったことをも把握することができる。例えば、１人以上のユーザが本情報端末機器を利用する場合、あるユーザは、自己のユーザ環境で本情報端末機器を利用している間に、他のユーザのユーザ環境についての特定情報に状態変化があったこと（他のユーザに電子メールの着信があったこと等）も把握することができる。
【００６４】
また、本実施形態においては、ユーザ環境制御部１２において、ユーザがユーザ指示入力部１１に入力した指示に基づいて、ユーザ環境の切り替え処理や、ユーザ環境に関する特定情報として登録されたＡＰソフトの起動または動作処理をユーザ環境動作部１７に実行させている。
【００６５】
そのため、ユーザは、自己が指示した内容で、ユーザ環境を切り替えたり、特定情報として登録したＡＰソフトを起動または動作させたりすることができる。
【００６６】
例えば、ユーザは、１人以上のユーザが本情報端末機器を利用する場合において、▲１▼現在利用中のユーザをログオンしたまま切り替える、▲２▼現在利用中のユーザをログオフさせて切り替える、▲３▼現在利用中のユーザをログオフさせる、という設定でユーザを切り替えることもできる。また、ユーザは、自己のユーザ環境の特定情報として登録したＡＰソフトに状態変化があった場合に、そのＡＰソフトを自動的に起動させることもできる。
【００６７】
また、本実施形態においては、ユーザ環境制御部１２において、表示部１６のデスクトップ画面上で、ユーザ環境を識別するマークがクリックされた場合に、クリックされたユーザ環境への切り替え処理をユーザ環境動作部１７に実行させ、さらに、ユーザ環境についての特定情報として登録されたＡＰソフトを示すマークがクリックされた場合に、クリックされたＡＰソフトの起動または動作処理をユーザ環境動作部１７に実行させている。
【００６８】
そのため、ユーザは、ユーザ環境を簡単に切り替えることができるとともに、ユーザ環境を特定する特定情報として登録したＡＰソフトを簡単に起動または動作させることができる。さらに、本情報端末機器を利用するユーザの人数がさらに増加し、増加したユーザのユーザ環境を新たに設定する必要がある場合にも、新たに設定するユーザ環境を識別するマークを表示部１６に表示させることでユーザの増加に容易に対応することができる。
【００６９】
なお、本実施形態においては、１人以上のユーザが本情報端末機器を利用する場合を例に挙げて説明したが、１人のユーザが利用目的（仕事用、遊び用）に応じてユーザ環境を切り替えて本情報端末機器を利用する場合にも適用可能である。この場合、ユーザの利用目的毎にユーザ環境を設定し、本情報端末機器上の各ユーザ環境についての特定情報を登録させる。または、１人のユーザがネットワークを介して互いに接続された１つ以上の情報端末機器を利用する場合にも適用可能である。この場合、ネットワークを介して互いに接続された情報端末機器毎にユーザ環境を設定し、各情報端末機器上のユーザ環境についての特定情報を登録させる。
【００７０】
また、本実施形態においては、ユーザ環境についての特定情報に状態変化があったことを検知する例として、電子メールが着信した場合を例に挙げて説明したが、インターネット上のホームページを登録させ、そのホームページが更新された場合に特定情報に状態変化があったと検知することとしても良い。または、ＴＶ放送／インターネット放送の番組の開始時間を登録させ、その番組の開始時間になった場合に状態変化があったと検知することとしても良い。
【００７１】
なお、本発明においては、情報端末機器内の処理は上述の専用のハードウェアにより実現されるもの以外に、その機能を実現するためのプログラムを情報端末機器にて読取可能な記録媒体に記録し、この記録媒体に記録されたプログラムを情報端末機器に読み込ませ、実行するものであっても良い。情報端末機器にて読取可能な記録媒体とは、フロッピーディスク、光磁気ディスク、ＣＤ−ＲＯＭ等の移設可能な記録媒体の他、情報端末機器に内蔵されたＨＤＤ等を指す。
【００７２】
【発明の効果】
以上説明したように本発明においては、制御手段において、ユーザに登録させたユーザ環境を特定する特定情報の状態を監視し、当該特定情報に状態変化があった場合には、その旨を表示手段に表示させている。
【００７３】
そのため、ユーザは、自己のユーザ環境に状態変化があったことを即座に把握することができ、ユーザ環境の状態に従って、ユーザ環境を切り替えたり、特定情報として登録したＡＰソフトを起動または動作させたりすることができる。
【００７４】
また、制御手段において、ユーザ環境についての特定情報を階層的に登録させているため、例えば、１人以上のユーザが情報端末機器を利用する場合、各ユーザのユーザ環境を特定する特定情報として、本情報端末機器を利用する各ユーザを識別する情報（ユーザ名等）、各ユーザが本情報端末機器上で利用するＡＰソフトの情報等を階層的に登録させることができる。
【００７５】
また、制御手段において、現在利用中のユーザ環境についての特定情報だけでなく、現在利用していない他のユーザ環境についての特定情報に状態変化があった場合にも、その旨を表示手段に表示させている。
【００７６】
そのため、ユーザは、現在利用していない他のユーザ環境に状態変化があったことをも把握することができる。例えば、１人以上のユーザが本情報端末機器を利用する場合において、あるユーザは、自己のユーザ環境で本情報端末機器を利用している間に、他のユーザのユーザ環境に状態変化があったことも把握することができる。
【００７７】
また、制御手段において、ユーザの指示に基づいて、ユーザ環境の切り替え処理や、ユーザ環境についての特定情報として登録されたＡＰソフトの起動または動作処理を動作手段に実行させている。
【００７８】
そのため、ユーザは、自己が指示した内容で、ユーザ環境を切り替えたり、特定情報として登録したＡＰソフトを起動または動作させたりすることができる。
【００７９】
例えば、ユーザは、▲１▼現在利用中のユーザをログオンしたまま切り替える、▲２▼現在利用中のユーザをログオフさせて切り替える、▲３▼現在利用中のユーザをログオフさせる、という設定でユーザを切り替えることもできる。さらに、ユーザは、自己のユーザ環境の特定情報として登録したＡＰソフトに状態変化があった場合に、そのＡＰソフトを自動的に起動させることもできる。
【００８０】
また、制御手段において、表示手段に表示される画面上で、ユーザ環境を識別するマークがクリックされた場合に、クリックされたユーザ環境への切り替え処理を動作手段に実行させ、さらに、ユーザ環境についての特定情報として登録されたＡＰソフトを示すマークがクリックされた場合に、クリックされたＡＰソフトの起動または動作処理を動作手段に実行させている。
【００８１】
そのため、ユーザは、従来ＯＳ上で行っていたユーザ環境の切り替えを簡単に行うことができるとともに、ユーザ環境を特定する特定情報として登録したＡＰソフトを簡単に起動または動作させることができる。さらに、本情報端末機器を利用するユーザの人数がさらに増加し、増加したユーザのユーザ環境を新たに設定する必要がある場合にも、新たに設定するユーザ環境を識別するマークを表示手段に表示させることでユーザの増加に容易に対応することができる。
【図面の簡単な説明】
【図１】本発明の一実施形態の情報端末機器を示す図である。
【図２】図１に示した情報端末機器によるユーザ環境表示方法を説明するフローチャートである。
【図３】図１に示した表示部の表示画面の例を示す図である。
【図４】図１に示した表示部の表示画面であって図３から切り替えられた表示画面の一例を示す図である。
【図５】図１に示した表示部の表示画面であって図３から切り替えられた表示画面の他の例を示す図である。
【図６】図１に示した情報端末機器によるユーザ環境表示方法をさらに具体的に説明する図である。
【符号の説明】
１１    ユーザ指示入力部
１２    ユーザ環境制御部
１３    ユーザ環境登録部
１４    ユーザ環境保存部
１５    ユーザ環境関連情報抽出部
１６    表示部
１７    ユーザ環境動作部
【図１】
2004341705.tif 000003
【図２】
2004341705.tif 000004
【図３】
2004341705.tif 000005
【図４】
2004341705.tif 000006
【図５】
2004341705.tif 000007
【図６】
2004341705.tif 000008